(57)【特許請求の範囲】
【請求項１】
電気ランプであって、
・電球（１）が設けられており、
・電球（１）の内部に少なくとも１つの照明手段（２）が配置されており、
・ソケット（３）が設けられており、該ソケット内に、電球（１）が固定されており、前記ソケットが、電気的なソケット接点（３ａ；３ｂ）を有しており、
・電球（１）から、少なくとも２つの電流供給部（４ａ；４ｂ）が導出されており、該電流供給部が、少なくとも１つの照明手段（２）と、ソケット接点（３ａ；３ｂ）とに導電接続されている
形式のものにおいて、ソケット（３）が、Ｖ形状に成形された少なくとも２つの固定つば（５；６）を有しており、該固定つばが、それぞれ１つの第１のＶ脚（５ａ；６ａ）と、ばね弾性的に形成されたそれぞれ１つの第２のＶ脚（５ｂ；６ｂ）とから成っており、
・第１のＶ脚（５ａ；６ａ）の端部がソケット（３）に一体成形されており、
・第１のＶ脚（５ａ；６ａ）が、ピン状のソケット部分またはプラグ部分のための取付け部（７）を形成しており、
・第２のＶ脚（５ｂ；６ｂ）の端部が自由端部として形成されている
ことを特徴とする、電気ランプ。
【請求項２】
第１のＶ脚（５ａ；６ａ）に第１の係止突起（５ｃ；６ｃ）が装着されている、請求項１記載の電気ランプ。
【請求項３】
第２のＶ脚（５ｂ；６ｂ）の自由端部に第２の係止突起（５ｄ；６ｄ）が設けられている、請求項１記載の電気ランプ。
【請求項４】
第２の係止突起（５ｄ；６ｄ）が、第２のＶ脚（５ｂ；６ｂ）の自由端部にそれぞれ１つの斜面（５ｅ；６ｅ）を有している、請求項３記載の電気ランプ。
【請求項５】
電気的なソケット接点（３ａ；３ｂ）が取付け部（７）内へ突入している、請求項１記載の電気ランプ。
【請求項６】
ソケット（３）が、反射鏡（２０）内への電気ランプの組付け時に深さストッパとして働く支持面（３ｃ）を有している、請求項１記載の電気ランプ。
【請求項７】
請求項１から６までのいずれか１項記載の少なくとも１つの電気ランプと、電気的な接続端子（１４ａ；１４ｂ）を有する支持プレート（１０）とを備えた照明システムであって、前記支持プレート上に、電気的なソケット接点（１１ａ；１１ｂ）を備えた少なくとも１つのランプソケットが配置されている形式のものにおいて、少なくとも１つのランプソケットが、ソケット接点（１１ａ；１１ｂ）を備えかつ支持プレート（１０）から突出するピン（１２）を有しており、前記ピンが、電気ランプが挿入された場合、第１のＶ脚（５ａ；６ａ）間に配置されていることを特徴とする、照明システム。
【請求項８】
第１の係止突起（５ｃ；６ｃ）が、ピン（１２）と協働して係止結合部を形成している、請求項７記載の照明システム。
【請求項９】
請求項１から６までのいずれか１項記載の少なくとも１つの電気ランプと、それぞれ１つの電気ランプのための少なくとも１つの組付け開口を有する反射鏡（２０）と、接続ケーブル（２３）および電気的な接点（２４ａ；２４ｂ）を備えた少なくとも１つの差込みプラグ（２２）とが設けられた形式の照明システムにおいて、
・差込みプラグ（２２）が、該差込みプラグ（２２）を反射鏡（２０）に固定するために設けられた固定手段（２８；２９）を有しており、
・電球は組付けられているが、差込みプラグ（２２）は固定されていない場合、第２のＶ脚（５ｂ；６ｂ）が、組付け開口（２１）の領域で反射鏡（２０）に緊締接触しており、これによって、第２の係止突起（５ｄ；６ｄ）が、反射鏡（２０）と協働して係止結合部を形成しており、
・差込みプラグ（２２）が、ピン状の突出部（２５）を有しており、差込みプラグ（２２）を反射鏡（２０）に固定した後、前記突出部が、第２のＶ脚（５ａ；６ａ）によって形成された取付け部（７）内に配置されており、
・差込みプラグ（２２）が少なくとも２つの係止解除ピン（２６ａ；２６ｂ）を有しており、差込みプラグ（２２）を反射鏡（２０）に固定した後、第２の係止突起（５ｄ；６ｄ）と反射鏡（２０）との係止結合が解除されるように、前記係止解除ピン（２６ａ；２６ｂ）が第２のＶ脚（５ｂ；６ｂ）に作用する
ことを特徴とする、照明システム。
【請求項１０】
ピン状の突出部（２５）に、差込みプラグ（２２）の、電気的な接点（２４ａ；２４ｂ）が設けられている、請求項９記載の照明システム。
【請求項１１】
差込みプラグ（２２）が、該差込みプラグ（２２）を反射鏡（２０）に固定した後、組付け開口（２１）をシールするシールリング（２７）を有している、請求項９記載の照明システム。
【発明の詳細な説明】
【０００１】
背景技術
本発明は、請求項１の上位概念部に記載した形式の電気ランプならびに該電気ランプ用の照明システムに関する。
【０００２】
請求項１の上位概念部に相当する電気ランプは、例えばドイツ連邦共和国実用新案第２９６１６１１６号明細書に開示されている。上記ドイツ連邦共和国実用新案明細書に記載されている電気ランプは、ブレーキランプ、テールランプまたはウインカランプのような照明機能を生ぜしめる目的で自動車で使用するために設けられた白熱電気ランプである。このような電気ランプでは、ランプソケットは使用目的に応じて、差込みプラグとして形成されているかまたは導体板に組付けるためのスライド接点を装備している。
【０００３】
発明の利点
本発明の課題は、例えば自動車後部でウインカランプまたはブレーキランプとして使用するために支持プレート上に組付けることも、例えば自動車の前照灯におけるウインカランプとして使用するために、密封された反射鏡内に組付けることも可能であるような、改良されたランプソケットを備えた電気ランプを提供することである。
【０００４】
本発明によれば、この課題は、請求項１の特徴部に記載した特徴によって解決される。本発明の特に有利な構成は、請求項２以下に記載されている。
【０００５】
本発明の電気ランプは、ばね弾性的に形成されたＶ脚を備えた、Ｖ形状に成形された少なくとも２つの固定つばが設けられたソケットを有している。この場合、第１のＶ脚は、ピン状のソケット部分またはプラグ部分のための取付け部を形成していて、第１のＶ脚の端部はソケットに一体成形されているのに対して、第２のＶ脚の端部は自由端部として形成されている。この構成によって、本発明による電気ランプは、ランプソケットが装備された支持プレート上にも、反射鏡体の、封止したい背面側の組付け開口内にも組付けることが可能になる。
【０００６】
有利には、電気的なソケット接点は、第１のＶ脚によって形成された取付け部内へ延びている。これによって、第１のＶ脚間に配置されたピン状のソケット部分もしくはプラグ部分のソケット接点と、上記の電気的なソケット接点との間の電気的な接点が簡単に形成される。更に、有利には第１のＶ脚は第１の係止突起を有しており、該第１の係止突起は、第１のＶ脚間の取付け部内に配置されたソケット部分もしくはプラグ部分と係止結合部を形成する。第２のＶ脚の自由端部には、有利には第２の係止突起が装備されており、これによって、ランプソケットと反射鏡体内の組付け開口の縁部との間の係止結合が可能となる。さらに有利には、第２のＶ脚の自由端部が、それぞれ１つの斜面を有しており、該斜面は、反射鏡体の組付け開口内への電球の挿入を容易にする。
【０００７】
第１の有利な構成によれば、本発明の照明システムは支持プレートを有している。該支持プレート上には、少なくとも１つのランプソケットが位置しており、該ランプソケットは、電気的なソケット接点を備えた、支持プレートから突出するピンを有している。該ピンは電球挿嵌時には第１のＶ脚間に配置されている。第１の係止突起が、電球挿嵌時にピンと係止結合部を形成すると有利である。
【０００８】
第２のの有利な構成によれば、本発明の照明システムは、それぞれ１つのランプのための少なくとも１つの組付け開口を有する反射鏡と、接続ケーブルを装備した少なくとも１つの差込みプラグとを有している。差込みプラグには、該差込みプラグを反射鏡に固定するための固定手段と、ピン状の突出部とが装備されており、該突出部は差込みプラグの組付け後に、第１のＶ脚によって形成された取付け部内に配置されている。更に、差込みプラグは少なくとも２つの係止解除ピンを有している。両係止解除ピンは、差込みプラグを被せ嵌めた場合、第２の係止突起と反射鏡との間の係止結合を解除するようになっている。反射鏡の、組付け開口を取り囲むフランジに接触し、組付け開口をシールするシールリングが差込みプラグに装備されていても有利である。差込みプラグの電気接点が、ピン状の突出部に位置していると有利である。
【０００９】
実施例の説明
以下に、本発明の実施例を図面につき詳しく説明する。
【００１０】
図１および図３には、本発明の有利な実施例による電気ランプが示してある。該電気ランプは、ガス密に閉鎖された端部１ａを備えたガラス製の電球１を有している。前記端部１ａから２本の電流供給部４ａ，４ｂが突出しており、該電流供給部は、電球１の内部に配置されたフィラメント２に導電接続されている。電球１の、シールされた端部１ａは、プラスチックから成るソケット３内で固定されている。該ソケット３は、Ｖ字形に成形された２つの固定つば５，６を有しており、該固定つばは、それぞれ１つの第１のＶ脚５ａ，６ａと、ばね弾性的に形成されたそれぞれ１つの第２のＶ脚５ｂ，６ｂとを有している。第１のＶ脚５ａ，６ａの端部はソケット３に一体成形されていて、ピン状のソケット部分またはプラグ部分のための取付け部７を形成しているのに対して、第２のＶ脚５ｂ，６ｂの端部は自由端部として形成されている。第１のＶ脚５ａ，６ａには、取付け部７内へ突入する第１の係止突起５ｃ，６ｃが装備されており、第２のＶ脚５ｂ，６ｂの自由端部には、第２の係止突起５ｄ，６ｄが装備されている。第２のＶ脚５ｂ，６ｂの自由端部は、第２の係止突起５ｄ，６ｄの領域に斜面５ｅ，６ｅを有しており、該斜面によって、反射鏡の組付け開口へのランプの組付けが容易になる。ソケット接点３ａ，３ｂは取付け部７内に配置されている。さらにソケット３には、反射鏡の組付け開口内へのランプの組付け時に深さストッパとして働く支持面３ｃが装備されている。
【００１１】
以下に、上で述べた白熱電気ランプの、互いに異なった２つの挿入例を詳しく説明する。
【００１２】
図２および図４には、複数のランプソケットが装備された支持プレート１０が示してある。ただし図２および図４には、唯一のランプソケットを備えた支持プレート１０の一区分しか示していない。ランプソケットは、支持プレート１０から突出するピン１２から成っており、該ピンには２つの電気的なソケット接点１１ａ，１１ｂが設けられている。ソケット接点１１ａ，１１ｂは、支持プレート１０の、電気的な接続端子１４ａ，１４ｂに接続されている。ランプの組付け時にピン１２が取付け部７内に係合するので、第１のＶ脚５ａ，６ａはピン１２に緊締接触し、第２のＶ脚５ｂ，６ｂは、ピン１２の両側に配置された側壁１３ａ，１３ｂに緊締接触する。さらに、板ばねとして形成されたソケット接点１１ａ，１１ｂは、取付け部７内へのピン１２の導入時にソケット接点３ａ，３ｂと電気的な接点を形成する。支持プレート１０は、例えば自動車の後部照明装置の構成部分である。一般的に後部照明装置には、ウインカランプ、ブレーキランプおよびテールランプ用の複数のランプソケットが配置されている。
【００１３】
図５〜図７には、図１および図３に示した本発明によるランプの第２の挿入例が示してある。該ランプは、上述したような支持プレート１０において使用することができるだけでなく、空気湿分の侵入に対してシールされた反射鏡においても同様に使用することができる。図７には、本発明によるランプと、反射鏡と、ランプに電流を供給するための差込みプラグとを備えた照明システムが示してある。例えば自動車の前照灯である反射鏡２０の反射鏡壁２０ａには、例えば前部の点滅ライトを発生させるために働く、本発明によるランプ用の組付け開口２１が設けられている。さらに、反射鏡壁２０ａの外側には、差込みプラグ２２を固定するために働くフランジ２０ｂが設けられている。差込みプラグ２２の詳細は図５および図６に示してある。
【００１４】
差込みプラグ２２は、電気的なプラグ接点２４ａ，２４ｂを備えたピン状の突出部２５を有しており、該突出部は差込みプラグ２２の接続時に、第１のＶ脚５ａ，６ａによって形成された取付け部７内へ係合する。さらに、差込みプラグは、ピン状の突出部２５の両側に配置された２つの係止解除ピン２６ａ，２６ｂ、１つのシールリング２７、１つの電気的な接続ケーブル２３および２つの固定クランプ２８，２９を有している。
【００１５】
組付けのために電気ランプは、背面側から反射鏡２０の組付け開口２１内へ導入される。この場合、第２のＶ脚５ｂ，６ｂが組付け開口２１の領域で、反射鏡壁２０ａの縁部に緊締接触する。第２の係止突起５ｄ，６ｄは、反射鏡壁２０ａの後方の内側に係止する。この場合、ランプソケット３の支持面３ｃは、反射鏡壁２０ａの外側に載置しており、したがって、ランプのための深さストッパとして働く。差込みプラグ２２を接続するために固定クランプ２８，２９の端部２８ｂ，２９ｂが圧縮される。これによって、固定クランプ２８，２９の、グリッパとして形成された端部２８ａ，２９ａを反射鏡２０のフランジ２０ｂの後方で固定することができる。この場合、差込みプラグ２２のシールリング２７がフランジ２０ｂに載置していて、反射鏡２０の組付け開口２１をシールしている。さらに、差込みプラグ２２の、ピン状の突出部２５が、ランプソケット３の取付け部７内へ係合し、これによって、プラグ接点２４ａ，２４ｂとソケット接点３ａ，３ｂとの間に電気的な接点が形成される。これと同時にまた、差込みプラグ２２の両係止解除ピン２６ａ，２６ｂが第２のＶ脚５ｂ，６ｂと反射鏡壁２０ａとの間の組付け開口２１内へ移動し、これによって、第２の係止突起５ｄ，６ｄと反射鏡壁２０ａとの係止結合が解除されるので、差込みプラグ２２を接続した場合にはランプは、差込みプラグにまだ固定されているにすぎない。したがって、差込みプラグを改めて取り外す場合、ランプは差込みプラグ２２と共に反射鏡２０から取り外される。
【図面の簡単な説明】
【図１】  本発明による電気ランプの、部分的に断面した概略的な側面図である。
【図２】  ランプソケットが装備された支持プレートの、部分的に断面した概略的な側面図である。
【図３】  図１に示した電気ランプを９０゜だけ回動した状態の、部分的に断面した概略的な側面図である。
【図４】  図２に示した支持プレートを９０゜だけ回動した状態の、部分的に断面した概略的な側面図である。
【図５】  反射鏡内に配置された、図１および図３に示した電気ランプに電流を供給するための差込みコネクタの、部分的に断面した概略的な側面図である。
【図６】  図５に示した差込みコネクタを９０゜回動した状態の、部分的に断面した概略的な側面図である。
【図７】  反射鏡内に組付けられた図１および図３に示した電気ランプと、図５および図６に示した差込みコネクタとを備えた、本発明による照明システムの、部分的に断面した概略的な側面図である。
【符号の説明】
１  電球、  １ａ  端部、  ２  フィラメント、  ３  ソケット、  ３ａ，３ｂ  ソケット接点、  ３ｃ  支持面、  ４ａ，４ｂ  電流供給部、  ５，６  固定つば、  ５ａ，６ａ  第１のＶ脚、  ５ｂ，６ｂ  第２のＶ脚、  ５ｃ，６ｃ  第１の係止突起、  ５ｄ，６ｄ  第２の係止突起、  ５ｅ，６ｅ  斜面、  ７  取付け部、  １０  支持プレート、  １１ａ，１１ｂ  ソケット接点、  １２  ピン、  １３ａ，１３ｂ  側壁、  １４ａ，１４ｂ  接続端子、  ２０  反射鏡、  ２０ａ  反射鏡壁、  ２０ｂ  フランジ、  ２１  取付け開口、  ２２  差込みプラグ、  ２３  接続ケーブル、  ２４ａ，２４ｂ  プラグ接点、  ２５  突出部、  ２６ａ，２６ｂ  係止解除ピン、  ２７  シールリング、  ２８，２９  固定クランプ、  ２８ａ，２９ａ  端部、  ２８ｂ，２９ｂ  端部
【図１】
0003857523.tif 000002
【図２】
0003857523.tif 000003
【図３】
0003857523.tif 000004
【図４】
0003857523.tif 000005
【図５】
0003857523.tif 000006
【図６】
0003857523.tif 000007
【図７】
0003857523.tif 000008